(57)【要約】【課題】組み立て工数を削減し、強度を向上させることができる農業用ハウスを提供する。【解決手段】複数のフレーム１と被覆材２と支持部材３とを備える。複数のフレーム１は、植物の育成場４０（圃場）の周りに立てられる。被覆材２は、育成場４０を覆うように複数のフレーム１に取り付けられ、屋根４１、側壁４２、妻壁４３を備えるハウス本体４を構成する。支持部材３は、地中に埋め込まれ、側壁４２に沿って設けられている複数の第１の取付け部３１１に、複数のフレーム１のうち側壁４２を構成する複数の第１のフレーム１１それぞれの下端部が取り付けられる。【選択図】図１
2015171331.tif 000002
【特許請求の範囲】
【請求項１】
植物の育成場の周りに立てられる複数のフレームと、
前記育成場を覆うように前記複数のフレームに取り付けられ、屋根、側壁、妻壁を備えるハウス本体を構成する被覆材と、
地中に埋め込まれ、前記側壁に沿って設けられている複数の第１の取付け部に、前記複数のフレームのうち前記側壁を構成する複数の第１のフレームそれぞれの下端部が取り付けられる支持部材とを備える
ことを特徴とする農業用ハウス。
【請求項２】
前記支持部材は、前記複数の第１の取付け部が設けられる一対の第１の支持枠と、前記一対の第１の支持枠の端部同士を連結する一対の第２の支持枠とで矩形状に形成される
ことを特徴とする請求項１記載の農業用ハウス。
【請求項３】
前記支持部材は、筒状部材で形成され、
前記第１の取付け部は、前記支持部材の側面に形成された孔であり、前記第１のフレームの下端部が挿入される
ことを特徴とする請求項１または２記載の農業用ハウス。
【請求項４】
前記第１のフレームは、下端部に支柱部の径よりも幅の寸法が大きい拡幅部を備え、
前記孔は、前記拡幅部が挿入可能な開口寸法に形成される第１の孔と、前記拡幅部の幅よりも開口寸法が小さく前記支柱部が嵌められる第２の孔とが連続した形状に形成され、
前記第２の孔に前記第１のフレームの前記支柱部が嵌められた状態で、前記第１の孔に楔が挿し込まれる
ことを特徴とする請求項３記載の農業用ハウス。
【請求項５】
前記支持部材は、前記妻壁に沿って設けられている複数の第２の取付け部を備え、
前記複数の第２の取付け部は、前記複数のフレームのうち前記妻壁を構成する複数の第２のフレームそれぞれの下端部が取り付けられる
ことを特徴とする請求項１〜４のうちいずれか１項に記載の農業用ハウス。
【請求項６】
前記妻壁は、上下方向に設けられる前記複数の第２のフレームと、横方向に設けられ前記複数の第２のフレーム同士を連結する連結梁とを備え、前記複数の第２のフレームが前記連結梁によって連結された状態で前記複数の第２の取付け部に取り付けられる
ことを特徴とする請求項５記載の農業用ハウス。
【発明の詳細な説明】
【技術分野】
【０００１】
本発明は、一般に農業用ハウス、より詳細には植物の育成環境を形成する農業用ハウスに関するものである。
【背景技術】
【０００２】
従来、植物の育成環境を形成する農業用ハウスが提供されている（例えば特許文献１参照）。この種の農業用ハウスは、地面に立てられた複数のフレームに被覆材が取り付けられることでハウス本体が構成されている。
【先行技術文献】
【特許文献】
【０００３】
【特許文献１】特開２０１０−２５２６９２号公報
【発明の概要】
【発明が解決しようとする課題】
【０００４】
しかし、一般的に農業用ハウスは、土壌が柔らかい農業用地に建てられるので、地面に挿されているフレームが抜けやすい。そのため、ハウス本体の強度が低く、台風などの強風によって上方向の力が加わった際に、フレームが抜ける可能性があるという問題があった。
【０００５】
さらに、設計図通りの位置にフレームを立てるためには距離測定などの手間がかかり、フレーム同士の間隔にばらつきが発生するおそれもあった。また、同じ農業用地の中でも土壌の硬さにばらつきがあるため、フレームが地面に埋められる深さにばらつきが生じていた。そのため、フレーム同士を組み合わせる際に、フレーム先端の切断などを行い長さ調節する必要があり、組み立て工数が増加するという問題があった。
【０００６】
本発明は、上記事由に鑑みてなされたものであり、その目的は、組み立て工数を削減し、強度を向上させることができる農業用ハウスを提供することにある。
【課題を解決するための手段】
【０００７】
本発明の農業用ハウスは、植物の育成場の周りに立てられる複数のフレームと、前記育成場を覆うように前記複数のフレームに取り付けられ、屋根、側壁、妻壁を備えるハウス本体を構成する被覆材と、地中に埋め込まれ、前記側壁に沿って設けられている複数の第１の取付け部に、前記複数のフレームのうち前記側壁を構成する複数の第１のフレームそれぞれの下端部が取り付けられる支持部材とを備えることを特徴とする。
【０００８】
この農業用ハウスにおいて、前記支持部材は、前記複数の第１の取付け部が設けられる一対の第１の支持枠と、前記一対の第１の支持枠の端部同士を連結する一対の第２の支持枠とで矩形状に形成されることが好ましい。
【０００９】
この農業用ハウスにおいて、前記支持部材は、筒状部材で形成され、前記第１の取付け部は、前記支持部材の側面に形成された孔であり、前記第１のフレームの下端部が挿入されることが好ましい。
【００１０】
この農業用ハウスにおいて、前記第１のフレームは、下端部に支柱部の径よりも幅の寸法が大きい拡幅部を備え、前記孔は、前記拡幅部が挿入可能な開口寸法に形成される第１の孔と、前記拡幅部の幅よりも開口寸法が小さく前記支柱部が嵌められる第２の孔とが連続した形状に形成され、前記第２の孔に前記第１のフレームの前記支柱部が嵌められた状態で、前記第１の孔に楔が挿し込まれることが好ましい。
【００１１】
この農業用ハウスにおいて、前記支持部材は、前記妻壁に沿って設けられている複数の第２の取付け部を備え、前記複数の第２の取付け部は、前記複数のフレームのうち前記妻壁を構成する複数の第２のフレームそれぞれの下端部が取り付けられることが好ましい。
【００１２】
この農業用ハウスにおいて、前記妻壁は、上下方向に設けられる前記複数の第２のフレームと、横方向に設けられ前記複数の第２のフレーム同士を連結する連結梁とを備え、前記複数の第２のフレームが前記連結梁によって連結された状態で前記複数の第２の取付け部に取り付けられることが好ましい。
【発明の効果】
【００１３】
以上説明したように、本発明では、側壁に沿って設けられた複数の第１の取付け部を備える支持部材に、第１のフレームそれぞれの下端部が取り付けられる。したがって、複数の第１のフレームそれぞれの位置決めがなされ、組み立て工数を削減することができる。さらに、複数の第１のフレームは、地中に埋められた支持部材に取り付けられるので抜けにくくなり、強度を向上させることができるという効果がある。
【図面の簡単な説明】
【００１４】
【図１】実施形態における農業用ハウスの概略構成図である。
【図２】実施形態における支持部材の外観図である。
【図３】実施形態における第１の支持枠の一部拡大図である。
【図４】実施形態における第１の支持枠に第１のフレームが取り付けられた状態を示す外観図である。
【図５】（ａ）（ｂ）実施形態における支持部材に第１のフレームが取り付けられた状態を示す断面図である。
【図６】実施形態における第１の支持枠が分割された状態を示す外観図である。
【図７】実施形態における第２の支持枠に第２のフレームが取り付けられた状態を示す外観図である。
【図８】実施形態における妻壁を構成するフレームが組み立てられた状態を示す外観図である。
【図９】実施形態における第１のユニットと第２のユニットとが分割された状態を示す外観図である。
【発明を実施するための形態】
【００１５】
以下、本発明の実施の形態を図面に基づいて説明する。
【００１６】
（実施形態）
本実施形態は、植物の育成環境を形成する農業用ハウスであり、複数のフレーム１と被覆材２と支持部材３とを備える（図１参照）。複数のフレーム１は、植物の育成場４０（圃場）の周りに立てられる。被覆材２は、育成場４０を覆うように複数のフレーム１に取り付けられ、屋根４１、側壁４２、妻壁４３を備えるハウス本体４を構成する。支持部材３は、地中に埋め込まれ、側壁４２に沿って設けられている複数の第１の取付け部３１１に、複数のフレーム１のうち側壁４２を構成する複数の第１のフレーム１１それぞれの下端部が取り付けられる。
【００１７】
以下に、本実施形態の農業用ハウスの構成について説明する。
【００１８】
本実施形態の農業用ハウスは、地中に埋められた支持部材３を土台として、支持部材３上にハウス本体４が設けられる。ハウス本体４は、例えば金属製パイプで構成されるフレーム１を構造材として用いており、複数のフレーム１の下端部が支持部材３に取り付けられる。そして、支持部材３上に組み立てられた複数のフレーム１に、例えば合成樹脂フィルムなどの透光性を有する被覆材２が取り付けられることで、屋根４１、側壁４２、妻壁４３を備えるハウス本体４が構成される。具体的には、ハウス本体４は、断面逆Ｕ字状に形成され、断面半円状の屋根４１と、屋根４１を支持し互いに対向する一対の側壁４２と、側壁４２に直交し互いに対向する一対の妻壁４３とを一体に備える。
【００１９】
ここで、ハウス本体４を構成する複数のフレーム１のうち、側壁４２および屋根４１を構成するフレームを第１のフレーム１１、妻壁４３を構成するフレームを第２のフレーム１２という。第１のフレーム１１は、円筒状部材で逆Ｕ字状に形成されており、１列に並べて立てられている。第２のフレーム１２は、強度が高い角筒状部材で形成されており、本実施形態では１つの妻壁４３に４本の第２のフレーム１２を用いている。そして、第２のフレーム１２同士は、複数の連結梁１３で連結されることで、妻壁４３の強度を向上させている。
【００２０】
次に、第１のフレーム１１、第２のフレーム１２が取り付けられる支持部材３の構造について説明する。図２に示すように、支持部材３は、矩形状の枠で形成されており、長手方向（図２における上下方向）の辺を構成する一対の第１の支持枠３１と、短手方向（図２における左右方向）の辺を構成する一対の第２の支持枠３２とで構成されている。
【００２１】
図３、図４、図５（ａ）（ｂ）に示すように、第１の支持枠３１は、角筒状部材で形成されており、一つの側面（上面）に第１のフレーム１１の下端部が取り付けられる第１の取付け部３１１が設けられている。第１の取付け部３１１は、第１の支持枠３１の長手方向に沿って所定の間隔で複数設けられている。第１の取付け部３１１は、第１のフレーム１１の下端部が挿入される孔であり、２つの孔（第１の孔３１２と第２の孔３１３）が連続した形状に形成されている。ここで、第１のフレーム１１は、円筒状部材で形成されており、下端部に押し潰された拡幅部１１２を備える。拡幅部１１２は、幅の寸法Ｌ２が支柱部１１１の径の寸法Ｌ１よりも大きい。第１の孔３１２は、矩形状の開口で形成されており、拡幅部１１２が挿入可能な開口寸法Ｌ３（＞Ｌ２）となるように設定されている。第２の孔３１３は、円形状の開口で形成されており、開口寸法Ｌ４が拡幅部１１２の幅寸法Ｌ２よりも小さく支柱部１１１の径Ｌ１よりもわずかに大きい寸法に設定されている。そして、第１のフレーム１１の拡幅部１１２が第１の孔３１２から挿入された後、第２の孔３１３側にスライドして第２の孔３１３が支柱部１１１が嵌められた状態で、第１の孔３１２に楔３１４が挿し込まれることで、第１の孔３１２が埋められる。これにより、第１のフレーム１１が第２の孔３１３から第１の孔３１２に向かって移動することを規制され、第１のフレーム１１に上方向の力が加えられても、拡幅部１１２が第２の孔３１３の縁に当たるので、第１のフレーム１１の抜け止めがなされる。このように、予め設けられた第１の取付け部３１１によって第１のフレーム１１が取り付けられる位置が決められており、さらに第１の支持枠３１は、第１のフレーム１１の抜け止め機構も備えている。
【００２２】
また、図６に示すように、第１の支持枠３１は、長手方向に複数分割されており、複数の分割部材３１０が複数の継手３１５によって連結されることで構成されている。分割部材３１０は、側面に上述した第１の取付け部３１１（孔）が形成された角筒状部材であり、継手３１５は、分割部材３１０の内部に嵌まり込む寸法に形成された角筒状部材で形成されている。また、分割部材３１０は、側面の端部に貫通孔３１６が形成されている。そして、継手３１５の側面と貫通孔３１６とが対向するように分割部材３１０の内部に継手３１５が入れられた状態で、貫通孔３１６にネジ３１７が取り付けられる。これにより、ネジ３１７が貫通孔３１６を介して継手３１５の側面を貫通し分割部材３１０と継手３１５とが結合される。そして、継手３１５の両端側に分割部材３１０が結合することで、２つの分割部材３１０が継手３１５を介して連結される。このように、第１の支持枠３１は複数に分割された構成であるので、部材の配送が容易となる。
【００２３】
第２の支持枠３２は、角筒状部材で形成されており、一対の第１の支持枠３１における長手方向の端部同士を連結する（図２参照）。一対の第１の支持枠３１は、互いに対向する側面における長手方向の端部に突起３１８が形成されている。第２の支持枠３２の端部が、第１の支持部材３に形成された突起３１８に嵌め込まれることで、第１の支持枠３１と第２の支持枠３２との位置決めがなされる。また、第２の支持枠３２は、一つの側面（上面）に第２のフレーム１２の下端部が取り付けられる複数の第２の取付け部３２１が、所定位置に設けられている。図７に示すように、第２の取付け部３２１は、第２の支持枠３２の側面（上面）から突出した一対の突片３２２で構成されている。そして、第２のフレーム１２は、一対の突片３２２の間の位置で、下端面が第２の支持枠３２の側面（上面）と対向するように立てられることで第２の支持枠３２に取り付けられる。なお、第２のフレーム１２の側面と突片３２２とを、例えばボルトなどを用いて固定する構成であってもよい。また、第１の支持枠３１と同様に、第２の支持枠３２も複数に分割された構成であってもよい。このように、予め設けられた第２の取付け部３２１によって第２のフレーム１２が取り付けられる位置が決められている。
【００２４】
ここで、図８、図９に示すように、本実施形態の妻壁４３は、上述した第２のフレーム１２を有する一対の第１のユニット１４と、一対の第１のユニット同士を連結する第２のユニット１５とを構造材として備えている。
【００２５】
第１のユニット１４は、２つの第２のフレーム１２と、横方向に設けられ第２のフレーム１２同士を連結する複数の連結梁１３と、例えばカーテンを支持するワイヤー、ファン（図示なし）などが取り付けられる補助部材１３０とを備えている。第１のユニット１４は、第２のフレーム１２と連結梁１３と補助部材１３０とが、例えば工場で固定金具、溶接などで予め固定され一体に構成されており、ユニット化された状態で納入される。第２のユニット１５は、横方向に設けられ横方向に並んだ一対の第１のユニット１４（第２のフレーム１２）同士を連結する連結梁１３と、補助部材１３０とを備えている。第１のユニット１４と同様に、第２のユニット１５は、連結梁１３と補助部材１３０とが、例えば工場で固定金具、溶接などで予め固定され一体に構成されており、ユニット化された状態で納入される。そして、第１のユニットと第２のユニットとは、Ｌ字状の固定金具１６を用いて現場で連結される。
【００２６】
次に、本実施形態の農業用ハウスの設置工程について説明する。
【００２７】
まず、支持部材３を地中に設置するために、植物の育成場４０の周りの地面に所定の深さ（例えば４０ｃｍ程度）の溝を、支持部材３の外形に合わせて矩形状に設ける。そして、一対の第１の支持枠３１と一対の第２の支持枠３２とを組み立てて矩形状に形成し、溝の底部に配置する。
【００２８】
次に、第１のフレーム１１の下端部を第１の取付け部３１１（孔）に挿入し、第１のフレーム１１を第１の支持枠３１に順次取り付ける。次に、ユニット化された一対の第１のユニット１４と第２のユニット１５とを固定金具１６を用いて連結する。そして、一対の第１のユニット１４と第２のユニット１５とが連結された状態で、第２のフレーム１２それぞれを第２の支持枠３２の第２の取付け部３２１に取り付ける。すなわち、複数の第２のフレーム１２が連結梁１３によって連結された状態で第２の取付け部３２１に取り付けられる。支持部材３は、第１のフレーム１１、第２のフレーム１２が取り付けられた後、溝が埋められ地中に埋め込まれる。
【００２９】
そして、固定金具、棟、補強部材（図示なし）などを用いて複数のフレーム１同士を固定して強度を確保し、植物の育成場４０を覆うように被覆材２を複数のフレーム１に取り付け、屋根４１、側壁４２、妻壁４３を備えるハウス本体４を構成する。なお、上記の設置工程は、順序が適宜前後してもよい。
【００３０】
このように、本実施形態の農業用ハウスは、地中に埋め込まれた支持部材３を備えている。支持部材３は、ハウス本体４の側壁４２に沿って複数の第１の取付け部３１１が所定間隔で設けられている。そして、この第１の取付け部３１１に、側壁４２を構成する第１のフレーム１１それぞれの下端部が取り付けられる。すなわち、第１のフレーム１１の取付位置が予め規定されており、距離測定を行うことなく、複数の第１のフレーム１１の間隔を容易に一定にすることができ、設置工数を削減することができる。さらに、第１のフレーム１１の下端部が支持部材３に取り付けられるので、土壌の硬さに関わらず第１のフレーム１１が埋められる深さも一定とすることができ、屋根４１の高さを一定にすることができる。なお、第１のフレーム１１を分割し、上端部同士を連結するように構成してもよい。この場合、第１のフレーム１１が埋められる深さが一定となることで、第１のフレーム１１の上端部同士を連結する際に、第１のフレーム１１の長さを調節する必要がなくなり、工数をさらに削減することができる。
【００３１】
また、第１のフレーム１１それぞれの下端部は、地中に横わたって埋められた支持部材３に取り付けられており、上述したように第１のフレーム１１の抜け止め機構を備えている（図３〜図５（ａ）（ｂ）参照）。したがって、第１のフレーム１１に上方向の力が加えられた場合であっても、地中に横わたって埋められた支持部材３に分散されるので、第１のフレーム１１が地面から抜けにくくなり、ハウス本体４の強度が向上する。そのため、強風によって上方向の力が加わった際でも第１のフレーム１１が抜けることが防止され、ハウス本体４が崩れることを防止することができる。
【００３２】
さらに、支持部材３は、ハウス本体４の妻壁４３に沿って複数の第２の取付け部３２１が所定位置に設けられている。そして、この第２の取付け部３２１に、妻壁４３を構成する第２のフレーム１２の下端部が取り付けられる。すなわち、第２のフレーム１２の取付位置が予め規定されており、距離測定を行うことなく、複数の第２のフレーム１２を所定位置に設けることができ、設置工数を削減することができる。また、土壌の硬さに関わらず第２のフレーム１２が埋められる深さを一定とすることができる。
【００３３】
また、妻壁４３は、ユニット化された状態で納入される一対の第１のユニット１４と第２のユニット１５とを構造材として備えている。そして、一対の第１のユニット１４と第２のユニット１５とが連結された状態で、第２のフレーム１２が第２の取付け部３２１に取り付けられる。すなわち、妻壁４３は、プレハブ化（prefabrication）されており、構造材が予め組み立てられた状態で支持部材３に取り付けられる。したがって、高所で連結梁１３、補助部材１３０を取り付ける必要がなく、組み立て工数を削減することができる。
【００３４】
このように、本実施形態の農業用ハウスは、所定寸法に形成された支持部材３に、位置決めされた第１のフレーム１１、第２のフレーム１２が取り付けられる。したがって、農業用ハウスのサイズが規格化され、設置者によるサイズのばらつきが低減し、設置工数も削減することができる。
【００３５】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００３６】
１  フレーム
１１  第１のフレーム
１２  第２のフレーム
１３  連結梁
２  被覆材
３  支持部材
３１  第１の支持枠
３１１  第１の取付け部
３２  第２の支持枠
４  ハウス本体
４１  屋根
４２  側壁
４３  妻壁
【図１】
2015171331.tif 000003
【図２】
2015171331.tif 000004
【図３】
2015171331.tif 000005
【図４】
2015171331.tif 000006
【図５】
2015171331.tif 000007
【図６】
2015171331.tif 000008
【図７】
2015171331.tif 000009
【図８】
2015171331.tif 000010
【図９】
2015171331.tif 000011